(57)【要約】【課題】良好な通風が得られる建物を提供する。【解決手段】建物１は、平面から見て長方形状を有している。長辺の外壁１０には、平面から見て内側に凹む凹部２０が形成されている。凹部２０の側面２０ｂ、２０ｃには、開閉自在な縦長の窓３０が設けられている。窓３０は、縦方向の軸を基端として開閉する開閉形式を有する。例えば窓３０は、凹部２０の側面２０ｂ、２０ｃに、基端４０が先端４１よりも外側に位置するように設けられ、窓３０は、先端４１が基端４０と同じかそれ以上外側に位置するように開放可能である。【選択図】図１
2013147802.tif 000002
【特許請求の範囲】
【請求項１】
平面から見て内側に凹み、その凹みの奥面よりも側面が短い凹部が形成された外壁と、
前記凹部の側面に開閉自在に設けられた縦長の窓と、を有する、建物。
【請求項２】
前記窓は、縦方向の軸を基端として開閉する開閉形式を有する、請求項１に記載の建物。
【請求項３】
前記窓は、閉鎖時に基端が内側で先端が外側に位置するように前記凹部の側面に設けられ、先端が基端と同じかそれ以上外側に位置するまで開放可能である、請求項２に記載の建物。
【請求項４】
前記窓は、内開きである、請求項２に記載の建物。
【請求項５】
前記窓が、前記凹部の両側の側面に設けられている、請求項１〜４のいずれかに記載の建物。
【請求項６】
前記窓が、卓越風の方向に対して略直交するように設けられている、請求項１〜５のいずれかに記載の建物。
【請求項７】
前記建物は、平面から見て長方形状を有し、
前記凹部は、建物の長辺の外壁に形成されている、請求項１〜６のいずれかに記載の建物。
【発明の詳細な説明】
【技術分野】
【０００１】
本発明は、良好な通風を得るための建物に関する。
【背景技術】
【０００２】
従来より、建物には、通風が得られるように外壁に窓が設けられている。しかしながら、住宅密集地などの建物は、隣の建物との間が狭く、その隣の建物との間を通る風の方向と外壁の窓の面が平行になるため、窓から建物内に風を効率的に取り入れることが難しい。
【０００３】
特許文献１には、壁に凹部を設け当該凹部に窓を設置した建物が開示されている。
【先行技術文献】
【特許文献】
【０００４】
【特許文献１】特開平１０−３０６５０４号公報
【発明の概要】
【発明が解決しようとする課題】
【０００５】
しかしながら、かかる建物の場合、凹部に設けられた補強梁が邪魔になったり、窓が横長であったりして、十分に良好な通風が得られるものではない。
【０００６】
本発明はかかる点に鑑みてなされたものであり、良好な通風が得られる建物を提供することのその目的とする。
【課題を解決するための手段】
【０００７】
上記目的を達成するための本発明は、平面から見て内側に凹み、その凹みの奥面よりも側面が短い凹部が形成された外壁と、前記凹部の側面に開閉自在に設けられた縦長の窓と、を有する、建物である。
【０００８】
本発明によれば、凹部の側面に縦長の窓が設けられているので、外壁を沿って流れる風が凹部の縦長の窓から建物内に効果的に流れ込む。よって、建物の良好な通風が得られる。
【０００９】
前記窓は、縦方向の軸を基端として開閉する開閉形式を有していてもよい。かかる場合、凹部の側面において窓の開口面積を広く確保できるうえ、窓が開放時に整流板としての機能も果たすため、外壁に沿って流れる風を効率的に窓から取り込むことができる。
【００１０】
前記窓は、閉鎖時に基端が内側で先端が外側に位置するように前記凹部の側面に設けられ、先端が基端と同じかそれ以上外側に位置するまで開放可能であってもよい。かかる場合、窓が開放時にウィンドキャッチャーとしての機能を果たし、建物内により多くの風を取り込むことができる。
【００１１】
前記窓は、内開きであってもよい。かかる場合、外からみて開いているのがわかり難いので、防犯上好ましい。また、窓から屋内に取り込んだ風の風向を調整しやすくなる。
【００１２】
前記窓が、前記凹部の両側の側面に設けられていてもよい。かかる場合、凹部の一方の側面の窓から入り建物内を通って凹部の他方の側面の窓から流出する風のルートが形成されるため、建物の通風性を飛躍的に向上できる。
【００１３】
前記窓が、卓越風の方向に対して略直交するように設けられていてもよい。かかる場合、建物内に卓越風が流れ込み易くなるため、建物の通風性がさらに向上する。
【００１４】
前記建物は、平面から見て長方形状を有し、前記凹部は、建物の長辺の外壁に形成されていてもよい。
【発明の効果】
【００１５】
本発明によれば、建物の良好な通風が得られる。
【図面の簡単な説明】
【００１６】
【図１】建物の概略を模式的に示す平面図である。
【図２】窓の構成を示す斜視図である。
【図３】窓の構成を示す断面図である。
【図４】縦すべり出し形式の窓を示す説明図である。
【図５】内開きの窓の構成を示す説明図である。
【発明を実施するための形態】
【００１７】
以下、図面を参照して、本発明の好ましい実施の形態について説明する。図１は、本実施の形態に係る建物１を模式的に示す平面図である。
【００１８】
建物１は、例えば平面から見て長方形状を有する。建物１は、長辺の外壁１０が隣の建物Ａと接近しており、隣の建物Ａとの間に狭い通路が形成されている。外壁１０には、例えばＡＬＣ（Autoclaved Light-weight Concrete；軽量気泡コンクリート）が用いられている。
【００１９】
建物１の外壁１０には、例えば平面から見て長方形状に内側に凹む凹部２０が形成されている。凹部２０の奥面２０ａは、外壁１０の凹部２０以外の他の外壁部１０ａと平行に形成されている。外壁部１０ａと奥面２０ａを繋ぐ凹部２０の両側の側面２０ｂ、２０ｃは、奥面２０ａと他の外壁部１０ａに対し垂直に形成されている。例えば凹部２０の側面２０ｂ、２０ｃの水平方向の寸法は、奥面２０ａの寸法より小さく、例えば４５０〜１５００ｍｍ程度が好ましい。奥面２０ａの水平方向の寸法は、例えば９００ｍｍ〜５０００ｍｍ程度が好ましい。
【００２０】
側面２０ｂ、２０ｃには、それぞれ開閉自在な窓３０が形成されている。窓３０は、図２に示すように縦長の窓であり、例えば縦方向の軸を基端４０として開閉する開閉形式を有している。例えば窓３０には、片開き形式ものが用いられている。なお、本実施の形態においては、図１に示すように建物１と隣の建物Ａとの間を外壁１０に沿って卓越風Ｂ（頻繁に吹く風）が流れ、窓３０は、卓越風Ｂの方向に対して略直交している。
【００２１】
窓３０は、例えば図３に示すように側面２０ｂ、２０ｃに、基端４０が先端４１よりも外側（図１の隣の建物Ａの方向）に位置するように取り付けられている。窓３０は、先端４１が基端４０と同じかそれ以上（９０度以上）外側に位置するまで開放可能になっている。
【００２２】
窓３０は、図２に示すように例えば側面２０ｂ、２０ｃの水平方向と縦方向に可能な限り長く形成されている。
【００２３】
図１に示すように、かかる構成の建物１において、隣の建物Ａとの間の通路に生じた風Ｂは、建物１の長辺の外壁１０の一端側から入り、外壁１０と平行に流れて、凹部２０に入り込む。そして、風の向きに対し正面にある側面２０ｂの窓３０から建物１内に入り込む。その後、風は、建物１内の内壁に沿って流れて、内部を一周した後、もう一方の側面２０ｃの窓３０から建物１外に流出する。建物１外に流出した風は、外壁１０に沿って外壁１０の他端側から流れ出たり、再び側面２０ｂの窓３０から建物１内に入る。
【００２４】
本実施の形態によれば、凹部２０の側面２０ｂに縦長の窓３０が設けられているので、外壁１０を沿って流れる風が窓３０から建物１内に効果的に流れ込む。よって、建物１の良好な通風を得られる。
【００２５】
また、窓３０は、縦方向の軸を基端４０として開閉する開閉形式を有するものであるため、縦方向に細長い側面２０ｂにおいても窓３０の開口面積を広く確保でき、そのうえ窓３０が開放時に整流板としての機能も果たす。よって、外壁１０に沿って流れる風を効率的に窓３０から取り込むことができる。
【００２６】
窓３０が、凹部２０の側面２０ｂ、２０ｃに、基端４０が先端４１よりも外側に位置するように設けられ、窓３０は、先端４１が基端４０と同じかそれ以上外側に位置するように開放可能である。これにより、窓３０が、開放時にウィンドキャッチャーとしての機能を果たし、建物１内により多くの風を取り込むことができる。
【００２７】
窓３０が、凹部２０の両側の側面２０ｂ、２０ｃに設けられているので、例えば側面２０ｂの窓３０から入り建物１内を通って側面２０ｃの窓３０から流出する風のルートが形成される。このため、建物１の通風性を飛躍的に向上できる。
【００２８】
窓３０が、卓越風Ｂの方向に対して略直交するように設けられているので、建物１内に卓越風Ｂが流れ込み易くなり、建物１の通風性がさらに向上する。窓３０は、閉まった状態を０°とした場合、例えば９０°以上１８０°以下、好ましくは１３５°±１５°まで開くものであってもよい。また、窓３０は、任意の角度で固定できるものであってもよい。
【００２９】
建物１は、平面から見て長方形状を有し、凹部２０は、建物１の長辺の外壁１０に形成されている。通常長辺の外壁に沿って流れる風は、建物内に取り込みにくいが、外壁１０に凹部２０を形成し、凹部２０の側面２０ｂに縦長の窓３０を形成することにより、かかる外壁１０であっても風を十分に取り込むことができる。
【００３０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３１】
例えば以上の実施の形態において窓３０は、凹部２０の両側の側面２０ｂ、２０ｃに設けられていたが、片側であってもよい。また、窓３０は、例えば図４に示すように基端４０側がスライドしつつ、先端４１側が開く縦すべり出し形式のものであってもよい。その他、窓３０は、上下にスライドして開閉する方式、水平軸を基端として開閉する形式など他の形式のものであってもよい。また、窓３０は、図５に示すように内開きであってもよい。かかる場合、外からみて開いているのがわかり難いので、防犯上好ましい。また、窓３０から屋内に取り込んだ風の風向を調整しやすくなる。
【００３２】
また、建物１が複数の階層を有する場合、外壁１０の凹部２０は、総ての階層に設けられていてもよいし、一部の階層に設けられていてもよい。さらに凹部２０は、建物１の長辺の外壁１０に限られず、短辺の外壁１０に設けられていてもよい。
【産業上の利用可能性】
【００３３】
本発明は、建物の良好な通風を得る際に有用である。
【符号の説明】
【００３４】
１  建物
１０  外壁
２０  凹部
２０ａ  奥面
２０ｂ、２０ｃ  側面
３０  窓
４０  基端
４１  先端
Ｂ  卓越風
【図１】
2013147802.tif 000003
【図２】
2013147802.tif 000004
【図３】
2013147802.tif 000005
【図４】
2013147802.tif 000006
【図５】
2013147802.tif 000007